(57)【要約】【課題】キャリッジの延設方向とレール部との直角度を細かく調整できる画像読取装置を提供する。【解決手段】画像読取装置は、レール部に係合する係合溝を有していて、該レール部に沿って移動可能なスライダー５０をさらに備えている。スライダー５０は、第１ギアー部４８に噛合する第２ギアー部５６を有していて、該第１ギアー部４８によって該第２ギアー部５６が駆動されると、当接面４５に沿って移動して、キャリッジ４１の延設方向と係合溝５２ａ，５３ａの延びる方向とのなす角度が、原稿台ガラスの垂直方向から見て変化するように構成されている。【選択図】図６
2019054332.tif 000002
【特許請求の範囲】
【請求項１】
原稿台ガラスの裏面側に主走査方向に延びるように設けられ、原稿の画像を読み取るイメージセンサーと、主走査方向に延びて該イメージセンサーを保持するキャリッジと、該キャリッジを副走査方向に沿って移動可能に支持するレール部と、該キャリッジをレール部に沿って移動させる駆動機構とを備えた画像読取装置であって、
上記レール部に係合する係合溝を有していて、該レール部に沿って移動可能なスライダーをさらに備え、
上記キャリッジは、上記スライダーに連結されて、該スライダーを介して副走査方向に移動可能に構成されており、
上記キャリッジには、上記原稿台ガラスに垂直な軸線回りに回転可能な第１ギアー部と、上記スライダーに対して主走査方向の一側から当接する当接面とが設けられ、
上記スライダーは、上記第１ギアー部に噛合する第２ギアー部を有していて、該第１ギアー部によって該第２ギアー部が駆動されると、上記当接面に沿って移動して、上記係合溝の延びる方向と上記キャリッジの延設方向とのなす角度を、上記原稿台ガラスの垂直方向から見て変化させるように構成されている、画像読取装置。
【請求項２】
請求項１記載の画像読取装置において、
上記第２ギアー部は、直線方向に間隔を空けて並ぶ複数の歯部を有するラックギアー部である、画像読取装置。
【請求項３】
請求項１又は２記載の画像読取装置において、
上記当接面は、上記原稿台ガラスの垂直方向から見て円弧状をなしている、画像読取装置。
【請求項４】
請求項１乃至３のいずれか一項に記載の画像読取装置において、
上記キャリッジは、上記レール部によって下方から支持されており、
上記キャリッジの下面には、上記レール部に沿って延びると共に下側に開放する断面コ字状をなし、上記スライダーを収容するスライダー収容部が形成され、
上記当接面は、上記スライダー収容部の側壁部によって形成されている、画像読取装置。
【請求項５】
請求項４記載の画像読取装置において、
上記スライダー収容部は、上記レール部に沿ってその上方に設けられた上壁と、当該上壁における主走査方向の一側端縁及び他側端縁からそれぞれ垂下するとともに、上記原稿台ガラスの垂直方向から見て同じ曲率中心を有する円弧状をなす一側壁部及びび他側壁部とを有し、
上記当接面は、上記一側壁部の内側面によって構成され、
上記他側壁部における上記スライダーの上記第２ギアー部に対応する箇所には切欠部が形成されており、
上記第２ギアー部は、上記切欠部を介して上記スライダー収容部の外側に露出して上記第１ギアー部に噛合する、画像読取装置。
【請求項６】
請求項５記載の画像読取装置において、
上記スライダーは、上記レール部に沿ってその上方に設けられた上壁と、当該上壁における主走査方向の一側端縁及び他側端縁からそれぞれ垂下する一側壁部及びび他側壁部とを有し、
上記スライダーの上記一側壁部の外側面には、副走査方向に間隔を空けて並ぶ一対の当接突部が形成され、
上記一対の当接突部は、その表面が半球面状をなしていて上記スライダー収容部の上記一側壁部の内側面に点接触により当接している、画像読取装置。
【請求項７】
請求項１乃至６のいずれか一項に記載の画像読取装置において、
上記キャリッジ及び上記レール部を内部に収容する有底箱状の筐体と、
上記筐体の天井側を覆うとともに上記原稿台ガラスが装着されたカバーとを備え、
上記第１ギアー部は、上記キャリッジにおける上記筐体の底壁部に対向する面に設けられており、
上記筐体の底壁部には、上記第１ギアー部を回転させるための回転用工具を挿入可能な工具挿入孔が形成されている、画像読取装置。
【請求項８】
請求項７記載の画像読取装置において、
上記キャリッジは、所定のホームポジションと、該ホームポジションに対して副走査方向に所定距離だけ離間した所定の移動端との間で往復移動可能に構成され、
上記工具挿入孔は、上記キャリッジが上記ホームポジションに位置する状態で上記第１ギアー部と同軸になるように形成されている、画像読取装置。
【請求項９】
請求項１乃至８のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、副走査方向に移動可能に構成されたコンタクトイメージセンサーによってコンタクトガラス上の原稿の画像を読取る画像読取装置は知られている（例えば、特許文献１参照）。コンタクトイメージセンサーは、主走査方向に長い矩形箱状の筐体と、該筐体内に収容されたラインセンサー及び光源とを有している。コンタクトイメージセンサーは、副走査方向に移動可能なキャリッジにより下方から支持されている。コンタクトイメージセンサーとキャリッジとの間には付勢バネが設けられており、コンタクトイメージセンサーは、この付勢バネによってコンタクトガラスに押し付けられている。キャリッジは、一本のレール部材により副走査方向に移動可能に支持されている。レール部材は、例えば副走査方向に延びるシャフト部材で構成されていて、キャリッジの主走査方向の中央部を下方から支持している。
【０００３】
この種の画像読取装置では、キャリッジの延設方向（主走査方向）とレール部との直角度が悪いと、コンタクトイメージセンサーによる読取り画像に歪みが生じるという問題がある。この問題を回避するべく、レール部に対するキャリッジの取付け角度を調整する技術が提案されている。
【０００４】
例えば特許文献１に示すものでは、レール部に案内されるスライドブロックとキャリッジとを別体化して、キャリッジをスライドブロックに対して支持ピン回りに回動させることで角度調整を行うようにしている。
【先行技術文献】
【特許文献】
【０００５】
【特許文献１】特開２０１２−１４５７８０号公報
【発明の概要】
【発明が解決しようとする課題】
【０００６】
しかしながら、上記特許文献１に示す従来の画像読取装置では、キャリッジの支点ピン回りの回転角度を細かく調整することができない。このため、読取り画像の歪みを補正するための作業に長時間を要したり、最悪の場合には歪みを補正できない場合が生じる。
【０００７】
本発明は、かかる点に鑑みてなされたものであり、その目的とするところは、キャリッジの延設方向とレール部との直角度を細かく調整できるようにすることにある。
【課題を解決するための手段】
【０００８】
本発明に係る画像読取装置は、原稿台ガラスの裏面側に主走査方向に延びるように設けられ、原稿の画像を読み取るイメージセンサーと、主走査方向に延びて該イメージセンサーを保持するキャリッジと、該キャリッジを副走査方向に沿って移動可能に支持するレール部と、該キャリッジをレール部に沿って移動させる駆動機構とを備えている。
そして、上記レール部に係合する係合溝を有していて、該レール部に沿って移動可能なスライダーをさらに備え、上記キャリッジは、上記スライダーに連結されて、該スライダーを介して副走査方向に移動可能に構成されており、上記キャリッジには、上記原稿台ガラスに垂直な軸線回りに回転可能な第１ギアー部と、上記スライダーに対して主走査方向の一側から当接する当接面とが設けられ、上記スライダーは、上記第１ギアー部に噛合する第２ギアー部を有していて、該第１ギアー部によって該第２ギアー部が駆動されると、上記当接面に沿って移動して、上記係合溝の延びる方向と上記キャリッジの延設方向とのなす角度を、上記原稿台ガラスの垂直方向から見て変化させる構成されている。
【発明の効果】
【０００９】
本発明によれば、キャリッジの延設方向とレール部との直角度を細かく調整することができる。延いては、画像読取装置による読取り画像の歪みを高精度で容易に補正することができる。
【図面の簡単な説明】
【００１０】
【図１】図１は、実施形態における画像読取装置を備えた画像形成装置の概略構成を示すブロック図である。
【図２】図２は、実施形態における画像読取装置を示す斜視図である。
【図３】図３は、画像読取装置の上側カバーを取り外した状態を示す平面図である。
【図４】図４は、画像読取装置の上側カバーを取り外した状態を示す斜視図である。
【図５】図５は、読取りユニットを示すスライダー側から見た斜視図である。
【図６】図６は、読取りユニットを示すスライダー側から見た平面図であって、基準状態を示している。
【図７】図７は、図６におけるスライダー収容部及びその周辺を拡大して示す拡大図である。
【図８】図８は、調整ギアーを図７の状態から時計回りに９０°角度、回転させた状態を示す図である。
【図９】図９は、調整ギアーを図７の状態から反時計回りに９０°角度、回転させた状態を示す図である。
【発明を実施するための形態】
【００１１】
以下、本発明の実施形態を図面に基づいて詳細に説明する。尚、本発明は、以下の実施形態に限定されるものではない。
【００１２】
図１に示すように、本実施形態の画像形成装置１は、例えば複合機であり、給紙部２、画像読取装置３、操作部４、画像形成部５、定着部６および排紙部７を備えている。画像形成装置１では、本体１０の上部に画像読取装置３がおよび設けられ、画像読取装置３の正面側に操作部４が設けられている。本体１０の中央部および下部には画像形成部５、定着部６および給紙部２が設けられている。排紙部７は、画像読取装置３の下方に設けられている。
【００１３】
給紙部２は、用紙を画像形成部５へ供給するカセット給紙部や手差しトレイである。画像読取装置３は、原稿を画像として読み取る。画像読取装置３の詳細については後述する。操作部４では、ユーザーによって画像形成装置１の各種操作が行われる。
【００１４】
画像形成部５は、図示しないが、感光ドラムや、その感光ドラムの周囲に配置された帯電器、現像器、転写ローラなどを備えている。画像形成部５では、画像読取装置３によって読み取られた画像データや外部端末から送信された画像データに基づいて、給紙部２から供給された用紙にトナー像を転写する。定着部６は、互いに圧接されて回転する定着ローラおよび加圧ローラ（何れも図示省略）を備え、画像形成部５で用紙に転写された画像（トナー像）をその用紙に定着させる。排紙部７は、定着部６から画像形成された用紙が供給される。
【００１５】
図２に示すように、画像読取装置３は、画像読取ユニット４０を内部に収容する有底箱状の筐体３１と、筐体３１の上側を覆うカバー３２とを有している。筐体３１の側面には、ユーザーが画像形成装置１に対して各種の操作指示を行うための操作パネル３１ａが設けられている。尚、本実施形態では、画像読取装置３について前後方向は「主走査方向」に相当し、左右方向は「副走査方向」に相当する。
【００１６】
カバー３２には、原稿の固定読取り時に使用する第１コンタクトガラス（原稿台ガラス）３３ａと、原稿の連続読み取り時に使用する第２コンタクトガラス３３ｂとが設けられている。カバー３２の後端部には、不図示の原稿カバーがヒンジ部を介して開閉自在に支持されている。原稿カバーは、第１コンタクトガラス３３ａ上に載置された原稿を上側から押さえて固定する。
【００１７】
図３及び図４に示すように、画像読取ユニット４０は、コンタクトガラス３３の裏面側（原稿載置面側とは反対側）に配置されている。画像読取ユニット４０は、コンタクトガラス３３上の原稿を光学的に読取ってその画像データを生成する。画像読取ユニット４０は、第２コンタクトガラス３３ｂの直下に位置するホームポジションと、ホームポジションよりも右側に所定距離だけ離間した所定の移動端（例えば、第１コンタクトガラス３３ａよりもやや右側の位置）との間で往復移動可能になっている。画像読取ユニット４０は、原稿の連続読取り時には第２コンタクトガラス３３ｂの直下（ホームポジション）に静止され、原稿の固定読取り時には、左右方向（副走査方向）に移動しながら原稿画像を読み取る。筐体３１内には、画像読取ユニット４０を左右方向に駆動する駆動機構６０が収容されている。駆動機構６０は、筐体３１の底壁部の左右方向の両端部に設けられた駆動プーリー６１及び従動プーリー６２と、駆動ベルト６３とを有している、駆動ベルト６３は、駆動プーリー６１及び従動プーリー６２に巻き回されて周方向に回転する。駆動ベルト６３の内周面には周方向に並ぶ複数の歯部が形成されている。画像読取ユニット４０は、駆動ベルト６３の内周面の歯部に噛合する噛合部４２ｂを有していて、駆動ベルト６３が回転することで副走査方向に移動する。
【００１８】
画像読取ユニット４０は、コンタクトイメージセンサー（ＣＩＳ：Ｃｏｎｔａｃｔ Ｉｍａｇｅ Ｓｅｎｓｏｒ）４１と、該コンタクトイメージセンサー４１を保持するキャリッジ４２とを有している。コンタクトイメージセンサー４１は、主走査方向に延びる箱状のセンサー筐体を有している。センサー筐体内には、ラインセンサーやレンズや光源等の光学系素子（いずれも図示せず）が収容されている。
【００１９】
キャリッジ４２は、主走査方向に延びると共に上側に開放する箱状に形成されている。コンタクトイメージセンサー４１は、キャリッジ４２に対して付勢バネを介して弾性支持されている。コンタクトイメージセンサーは、付勢バネの付勢力によりコンタクトガラス３３の裏面に押し付けられている。
【００２０】
キャリッジ４２は、筐体３１の底壁部に突設されたレール部３４に沿って左右方向（副走査方向）に移動可能に支持されている。レール部３４は、キャリッジ４２の前後方向の中央部を支持している。レール部３４は、筐体３１の底壁部の左右方向の全体に亘って形成されている。レール部３４の上端部は、左右方向から見て半円筒状に形成されている。キャリッジ４２は、レール部３４に対してスライダー５０を介して支持されている。
【００２１】
図５及び図６に示すように、スライダー５０は、キャリッジ４２の下面に形成されたスライダー収容部４３の内側に設けられている。スライダー５０には、後述するようにレール部３４に係合する係合溝５２ａ，５３ａが形成されている。キャリッジ４２の下面には、このスライダー５０の係合溝５２ａ，５３ａの延びる方向を調整するための調整ギアー４８が設けられている。図５及び図６の例では、この係合溝５２ａ，５３ａの延びる方向が、キャリッジ４２の延設方向（コンタクトイメージセンサー４１の延設方向であって主走査方向）に対して直交する状態（以下、基準状態という）を示している。以下では、特に断らない限り、スライダー５０が基準状態にあるものとして説明を行う。
【００２２】
上記スライダー収容部４３は、キャリッジ４２に一体成形されて該キャリッジ４２の一部を構成している。スライダー収容部４３は、下側に開放する断面コ字状の柱状部である。スライダー収容部４３は、キャリッジ４２の前後方向の中央部に形成されている。スライダー収容部４３は、レール部３４に沿ってその上方に設けられた上壁４４と、上壁４４の前端縁及び後端縁からそれぞれ垂下する前側壁４５及び後側壁４６とを有している。前側壁４５及び後側壁４６は、コンタクトガラス３３の垂直方向から見て、図６の曲率中心Ｃを中心とする円弧状をなしている。前側壁４５の内側面４５ａの曲率半径は、本実施形態では３００ｍｍとされている。前側壁４５の内側面４５ａは、スライダー５０に対して前側（主走査方向の一側）から当接する当接面を構成している。後側壁４６の周方向の中央部には切欠部４７が形成されている。切欠部４７は、後述するスライダー５０のラックギアー部５６に対応する箇所に形成されている。
【００２３】
スライダー５０は、左右方向（副走査方向）に延びる矩形状の上壁５１と、上壁５１の左右両端部からそれぞれ垂下する左側係合壁５２及び右側係合壁５３とを有している。左側係合壁５２及び右側係合壁５３には、レール部３４に上側から係合する係合溝５２ａ，５３ａが形成されている。係合溝５２ａ，５３ａは下側に開放するＵ字状をなしている。左側係合壁５２及び右側係合壁５３は、前側補強壁５４及び後側補強壁５５によって連結されている。
【００２４】
前側補強壁５４及び後側補強壁５５はそれぞれ、上壁５１の前端縁及び後端縁からそれぞれ垂下されている。前側補強壁５４及び後側補強壁５５は、前後方向に間隔を空けて対向配置されている。前側補強壁５４の外側面（前側面）には、左右方向に間隔を空けて並ぶ一対の当接突部５７が形成されている。一対の当接突部５７は、半球面状をなしていてスライダー収容部４３の前側壁４５の内側面４５ａに点接触（当接）している。
【００２５】
後側補強壁５５の外側面（後側面）にはラックギアー部５６が突設されている。ラックギアー部５６は、後側補強壁５５の左右方向の中央部に設けられている。ラックギアー部５６は、左右方向に隣接して並ぶ複数の歯部を有している。ラックギアー部５６は、スライダー５０の後側壁４６に形成された切欠部４７からスライダー外側に露出して調整ギアー４８に噛合している。
【００２６】
調整ギアー４８は、キャリッジ４２の下面に形成された平坦部４２ａに取付けられている。調整ギアー４８は、平坦部４２ａから突出する不図示の支持ピンにより回動可能に支持されている。そうして調整ギアー４８は、鉛直軸回り（コンタクトガラス３３に垂直な軸線回り）に回動可能になっている。調整ギアー４８の下端面には、回転用工具（例えばプラスドライバー）の係合溝４８ａ（本実施形態では十字状溝）が形成されている。調整ギアー４８は、ラックギアー部５６を介してスライダー５０全体を前側に押すように位置決めされている。スライダー５０の前側補強壁５４に突設された当接突部５７は、調整ギアー４８からの押圧力を受けてスライダー収容部４３の前側壁４５の内側面４５ａに押し付けられている。スライダー５０とキャリッジ４２とはこの押付け力によって互いに拘束（連結）されている。したがって、後述するように、作業者が調整ギアー４８を回転用工具によって回転させない限り、キャリッジ４２とスライダー５０との位置関係が変化することはない。
【００２７】
筐体３１の底壁部には、調整ギアー４８を回転させる工具を挿入するための工具挿入孔３１ｂ（図３参照）が形成されている。工具挿入孔３１ｂは、画像読取ユニット４０がホームポジション（第２コンタクトガラス３３ｂの直下）に位置している状態で、調整ギアー４８の直下に位置するように形成されている。本実施形態では、工具挿入孔３１ｂは円孔状をなしており、画像読取ユニット４０がホームポジションに位置する状態で、調整ギアー４８と同軸になるように形成されている。
【００２８】
以上のように構成された画像読取装置３では、調整ギアー４８を回転用工具で回転させることで、キャリッジ４２の延設方向に対するスライダー５０の係合溝５２ａ，５３ａの延びる方向を、コンタクトガラス３３の垂直方向から見て変化させることができる。
【００２９】
このことについて図７〜図９を参照して詳細に説明する。図７は、この係合溝５２ａ，５３ａの延びる方向が、キャリッジ４２の延設方向（主走査方向）に対して直交する基準状態を示している。この状態では、一対の当接突部５７は、曲率中心Ｃを通り且つ前後方向に延びる直線Ｋに対して左右対称に配置されている。
【００３０】
図７に示す状態から、回転用工具により調整ギアー４８を図の時計回り方向に回転させると、スライダー５０のラックギアー部５６は右側に直線移動する。この結果、スライダー５０は、当接突部５７を介してスライダー収容部４３の前側壁４５に当接しながら全体として右側に移動する（図８参照）。前側壁４５の内側面４５ａは、上述したように曲率中心Ｃを基準とする半径Ｒ（本実施形態では３００ｍｍ）の円筒面状をなしているので、スライダー５０はこの半径Ｒに対応した回転軌跡に沿って移動する。ラックギアー部５６の右側への最大移動量Ｘｒは上記半径Ｒよりも十分に小さく設定されており、本実施形態では、最大移動量Ｘｒは半径Ｒの１／１００（＝３ｍｍ）とされている。ラックギアー部５６が最大移動量Ｘｒだけ移動した場合には、スライダー５０は基準状態に対して０．５７°（＝３÷（Ｒ３００×２π）×３６０°）だけ傾くこととなる。図８は、調整ギアー４８を時計回り方向に９０°回転させることによりラックギアー部５６が基準状態から右側に最大移動量Ｘｒだけ移動した状態を示している。
【００３１】
図７に示す状態から、回転用工具により調整ギアー４８を図の反時計回り方向に回転させると、スライダー５０のラックギアー部５６は左側に直線移動する。この結果、スライダー５０は、当接突部５７を介してスライダー収容部４３の前側壁４５に当接しながら全体として左側に移動する（図９参照）。この左側への最大移動量ＸＬは、右側への最大移動量Ｘｒと同様に半径Ｒよりも十分に小さく設定されており、本実施形態では、最大移動量ＸＬは半径Ｒの１／１００（＝３ｍｍ）とされている。したがって、ラックギアー部５６が基準状態から左側に最大移動量ＸＬだけ移動した場合には、スライダー５０は基準状態に対して０．５７°（＝３÷（Ｒ３００×２π）×３６０°）だけ傾くこととなる。図９は、調整ギアー４８を反時計回り方向に９０°回転させることによりラックギアー部５６が基準状態から左側に最大移動量ＸＬだけ移動した状態を示している。
【００３２】
このように本実施形態によれば、スライダー５０は、調整ギアー４８（第１ギアー）に噛合するラックギアー部５６（第２ギアー部）を有している。スライダー５０は、調整ギアー４８によってラックギアー部５６が直線駆動されると、スライダー収容部４３の前側壁４５の内側面４５ａに沿って移動する。この結果、キャリッジ４２の延設方向に対する係合溝５２ａ，５３ａの延びる方向がコンタクトガラス３３の垂直方向から見て変化する。したがって、調整ギアー４８の回転角度を調整することで、キャリッジ４２の延設方向（主走査方向）と、キャリッジ４２の進行方向（副走査方向）との直角度を調整することができる。よって、この直角度の悪化に起因する読取り画像の歪みを容易に補正することができる。
【００３３】
そして、本実施形態では、スライダー５０の傾きを調整するためにコンタクトガラス３３に垂直な軸線を有する回転式の調整ギアー４８を使用するようにしている。したがって、スライダー５０の角度調整を、位置決めピン等を用いて段階的に行う場合に比べて細かく且つ容易に行うことができる。
【００３４】
また、本実施形態では、調整ギアー４８に噛合するギアー部は、複数の歯部が直線方向に間隔を空けて並ぶラックギアー部５６により構成されている。これによれば、当該ギアー部を回転式ギアーで構成した場合に比べて、スライダー５０の角度調整をより一層細かく行うことができる。
【００３５】
また、上記実施形態では、スライダー収容部４３の前側壁４５の内側面４５ａ（つまりスライダー５０に対して主走査方向の一側から当接する当接面）は、コンタクトガラス３３の垂直方向から見て円弧状をなしている。
【００３６】
この構成によれば、調整ギアー４８を回転させた際に、スライダー５０が内側面４５ａに沿って滑らかに円弧状に移動する。したがって、スライダー５０の角度が急激に変化するのを防止してその角度調整を容易に行うことができる。
【００３７】
また、上記実施形態では、スライダー収容部４３は、レール部３４に沿ってその上方に設けられた上壁４４と、上壁４４における主走査方向の一側端縁及び他側端縁からそれぞれ垂下するとともに、コンタクトガラス３３の垂直方向から見て同じ曲率中心Ｃを有する円弧状をなす前側壁４５及び後側壁４６とを有している。そして、スライダー収容部４３の後側壁４６におけるスライダー５０のラックギアー部５６（第２ギアー部）に対応する箇所には切欠部４７が形成されており、ラックギアー部５６は、切欠部４７を介してスライダー収容部４３の外側に露出して調整ギアー４８（第１ギアー部）に噛合するように構成されている。
【００３８】
この構成によれば、スライダー収容部４３内にスライダー５０をコンパクトに収容しつつ、スライダー５０のラックギアー部５６と調整ギアー４８に噛合させることができる。
【００３９】
スライダー５０の前側補強壁５４の外側面には、副走査方向に間隔を空けて並ぶ一対の当接突部５７が形成され、該一対の当接突部５７は、その表面が半球面状をなしていてスライダー収容部４３の前側壁４５の内側面に点接触により当接している。
【００４０】
この構成によれば、当接突部５７の表面がスライダー収容部４３の前側壁４５に対して点接触により当接しているので、両者の摺動抵抗を低減することができる。したがって、調整ギアー４８によりスライダー５０の傾きを調整する際に必要な力が少なくて済む。
【００４１】
また、本実施形態によれば、画像読取装置３はキャリッジ４２及びレール部３４を内部に収容する有底箱状の筐体３１と、筐体３１の天井側を覆うとともにコンタクトガラス３３が装着されたカバー３２とを備えている。上記調整ギアー４８部は、キャリッジ４２における筐体３１の底壁部に対向する面に取付けられており、筐体３１の底壁部には、調整ギアー４８を回転させるための回転用工具を挿入可能な工具挿入孔３１ｂが形成されている。
【００４２】
この構成によれば、カバー３２を取り外すことなく、工具挿入孔３１ｂにドライバー等の回転用工具挿入して調整ギアー４８の回転角度を調整することができる。
【００４３】
より具体的には、工具挿入孔３１ｂは、キャリッジ４２が上記ホームポジションに位置する状態で調整ギアー４８と同軸になるように形成されている。
【００４４】
この構成によれば、キャリッジ４２がホームポジションにある状態で調整ギアー４８を調整することができる。したがって、調整ギアー４８の回転角度の調整がより一層容易になる。
【００４５】
《他の実施形態》
本発明は、上記実施形態について、以下のような構成としてもよい。
【００４６】
上記実施形態では、工具挿入孔３１ｂは、筐体３１を画像読取ユニット４０がホームポジションに位置する状態で調整ギアー４８の直下に位置するように形成されている。しかし、これに限ったものではなく、工具挿入孔３１ｂは、筐体３１の底壁部のうち、調整ギアー４８の移動経路の直下に位置する箇所であればどこに設けてもよい。また、工具挿入孔を、調整ギアー４８の移動経路の直下に沿って所定間隔を置きに複数形成するようにしてもよい。
【００４７】
上記実施形態では、調整ギアー４８とラックギアー部５６とを直接噛合させるようにしているが、複数の減速ギアーを介して噛合させるようにしてもよい。そうすることで、調整ギアー４８を所定量回転させたときのスライダー５０の移動量をより微細にすることができる。したがって、調整ギアー４８の調整による、コンタクトイメージセンサー４１の延設方向と、コンタクトイメージセンサー４１の進行方向との直角度をより一層精度良く(細かく)調整することができる。  
【産業上の利用可能性】
【００４８】
以上説明したように、本発明は、画像読取装置に有用であり、特に、プリンター、複写機、ファクシミリ、又は複合機（ＭＦＰ）等に搭載される画像読取装置について有用である。
【符号の説明】
【００４９】
１      ：画像形成装置
３      ：画像読取装置
３１    ：筐体
３１ｂ  ：工具挿入孔
３２    ：カバー
３３    ：コンタクトガラス（原稿台ガラス）
３４    ：レール部
４１    ：コンタクトイメージセンサー（イメージセンサー）
４２    ：キャリッジ
４５    ：前側壁（一側壁部）
４５ａ  ：内側面（当接面）
４６    ：後側壁（前側壁部）
４８    ：調整ギアー（第１ギアー部）
５０    ：スライダー
５２ａ  ：係合溝
５３ａ  ：係合溝
５４    ：前側補強壁（一側壁部）
５５    ：後側補強壁（前側壁部）
５６    ：ラックギアー部（第２ギアー部）
【図１】
2019054332.tif 000003
【図２】
2019054332.tif 000004
【図３】
2019054332.tif 000005
【図４】
2019054332.tif 000006
【図５】
2019054332.tif 000007
【図６】
2019054332.tif 000008
【図７】
2019054332.tif 000009
【図８】
2019054332.tif 000010
【図９】
2019054332.tif 000011